(57)【要約】  小型かつ高精細であり、製造誤差による光学性能の劣化が低減された内視鏡対物光学系を提供する。物体側より順に、正の第１群Ｇ１と、負の第２群Ｇ２と、正の第３群Ｇ３とを有し、  通常観察状態から拡大観察状態において、少なくとも第２群Ｇ２を光軸ＡＸに沿って動かすことにより変倍と合焦を行う内視鏡対物光学系であって、  第１群Ｇ１は、物体側から順に、物体側に平面を向けた平凹の負レンズＬ１と、接合レンズ２枚ＣＬ１、ＣＬ２とを有し、  以下の条件式（１）を満たすことを特徴とする内視鏡対物光学系。  −３.６＜ｆ１／ｆｚ１＜−２  （１）  ここで、  ｆ１は平凹の負レンズＬ１の焦点距離、  ｆｚ１は通常観察状態における内視鏡対物光学系全系の焦点距離、である。
2019198362.tif 000002
【特許請求の範囲】
【請求項１】
物体側より順に、正の第１群と、負の第２群と、正の第３群と、を有し、
通常観察状態から拡大観察状態において、少なくとも前記第２群を光軸に沿って動かすことにより変倍と合焦を行う内視鏡対物光学系であって、
前記第１群は、物体側から順に、物体側に平面を向けた平凹の負レンズと、２つの接合レンズとを有し、
以下の条件式（１）を満たすことを特徴とする内視鏡対物光学系。
−３.６＜ｆ１／ｆｚ１＜−２  （１）
ここで、
ｆ１は前記平凹の負レンズの焦点距離、
ｆｚ１は通常観察状態における前記内視鏡対物光学系全系の焦点距離、
である。
【請求項２】
前記第３群は、物体側から順に、正レンズと、正レンズと、正レンズと負レンズの接合レンズと、を有し、以下の条件式（２）、（３）を満たすことを特徴とする請求項１に記載の内視鏡対物光学系。
−５＜ｆ５／ｆ７＜−１      （２）
−５＜ｆ６／ｆ７＜−０.３      （３）
ｆ５は前記第３群の物体側の前記正レンズの焦点距離、
ｆ６は前記第３群の像側の前記正レンズの焦点距離、
ｆ７は前記第３群の前記接合レンズの焦点距離、
である。
【請求項３】
以下の条件式（４）を満たすことを特徴とする請求項１に記載の内視鏡対物光学系。
２.１＜Ｌｓ／Ｂｋ＜５      （４）
Ｌｓは前記第２群の通常観察状態から拡大観察状態における移動長、
Ｂｋは前記内視鏡対物光学系の最終面から像面までの光軸に沿った距離、
である。
【請求項４】
以下の条件式（５）を満たすことを特徴とする請求項１に記載の内視鏡対物光学系。
０.８＜ＦＦｚ３／ｆｚ３＜４  （５）
ＦＦｚ３は前記内視鏡対物光学系の拡大観察状態における前側焦点から前記内視鏡対物光学系の最も物体側の面までの距離、 
ｆｚ３は拡大観察状態の前記内視鏡対物光学系全系の焦点距離、
である。
【請求項５】
以下の条件式（６）を満たすことを特徴とする請求項２に記載の内視鏡対物光学系。
−６＜ｆ７／ｆ３＜−０.５      （６）
ｆ７は前記第３群の前記接合レンズの焦点距離、
ｆ３は前記第１群の像側の前記接合レンズの焦点距離、
である。 
【請求項６】
以下の条件式（７）を満たすことを特徴とする請求項１に記載の内視鏡対物光学系。
−３０＜ｆ２／ｆｚ１＜−１      （７）
ｆ２は前記第１群の物体側の前記接合レンズの焦点距離、
ｆｚ１は通常観察状態における前記内視鏡対物光学系全系の焦点距離、
である。
【請求項７】
以下の条件式（８）を満たすことを特徴とする請求項１に記載の内視鏡対物光学系。
−８＜ｆ２／ｆ３＜−１      （８）
ｆ２は前記第１群の物体側の前記接合レンズの焦点距離、
ｆ３は前記第１群の像側の前記接合レンズの焦点距離、
である。
【請求項８】
前記第３群は、カバーガラスに接合された像面側に平面を向けた凸平の正レンズを有し、以下の条件式（９）を満たすことを特徴とする請求項１に記載の内視鏡対物光学系。
−１０＜ｆ８／ｆ１＜−０.５    （９）
ｆ８は前記カバーガラスに接合された前記正レンズの焦点距離、
ｆ１は前記平凹の負レンズの焦点距離、
である。
【請求項９】
前記第３群の前記接合レンズは両凹の負レンズを有し、
以下の条件式（１０）を満たすことを特徴とする内視鏡対物光学系。
０.１＜ＳＦ７２＜０.９      （１０）
ＳＦ７２は前記両凹の負レンズのシェイピングファクターであり、前記両凹の負レンズの物体側の曲率半径をｒ７２、前記両凹の負レンズの像側の曲率半径をｒ７３とするとＳＦ７２＝（ｒ７２＋ｒ７３）／（ｒ７２−ｒ７３）である。
【発明の詳細な説明】
【技術分野】
【０００１】
本発明は内視鏡対物光学系に関するものである。
【背景技術】
【０００２】
近年、医療用内視鏡において、拡大内視鏡を利用して、病変部の精密診断が行なわれている。被写体を拡大観察することにより、粘膜模様、血管模様が観察できるようになり、精密診断に使用されている。診断の精度向上のため内視鏡画像の高画素化が求められ、画素数の高い撮像素子が採用され始めている。また拡大内視鏡に限らず、通常内視鏡でも患者への苦痛低減のため細径化が望まれている。【０００３】
このような拡大内視鏡の対物光学系の例は、例えば、以下の６つの特許文献である、特許文献１、特許文献２、特許文献３、特許文献４、特許文献５、特許文献６に提案されている。これらの特許文献に提案された対物光学系は、正負正の３群構成であり、第２群が光軸に沿って可動することで合焦を行う。
【先行技術文献】
【特許文献】
【０００４】
【特許文献１】特開２００９−２９４４９６号公報
【特許文献２】特開２００７−２６０３０５号公報
【特許文献３】特開２００８−１０７３９１号公報
【特許文献４】特開２００１−９１８３２号公報
【特許文献５】特開平１１−３１６３３９号公報
【特許文献６】特許第５９８５１３３号公報
【発明の概要】
【発明が解決しようとする課題】
【０００５】
以下、各特許文献に提案されている対物光学系に関して説明する。特許文献１の対物光学系のＦｎｏ（Ｆナンバー）は６程度である。特許文献２の対物光学系のＦｎｏは６程度である。特許文献３の対物光学系のＦｎｏは４．５程度である。特許文献４の対物光学系のＦｎｏは６程度である。特許文献５の対物光学系のＦｎｏは７程度である。特許文献６の対物光学系のＦｎｏは６程度である。いずれの対物光学系もＦｎｏが大きく、高精細な光学系に対応しない。【０００６】
また、特許文献３の対物光学系は半画角が５０°と小さいので、通常の内視鏡として適さない。特許文献４の対物光学系の場合、複数のレンズを動かすと枠構成が複雑化し、小型化に適さない。さらに、特許文献５の対物光学系は、バックフォーカスが長すぎてしまい、小型化に適さない。【０００７】
本発明は、このような課題に鑑みてなされたものであって、小型かつ高精細であり、製造誤差による光学性能の劣化が低減された内視鏡対物光学系を提供することを目的とする。
【課題を解決するための手段】
【０００８】
上述した課題を解決し、目的を達成するために、本発明の少なくとも幾つかの実施形態に係る内視鏡対物光学系は、物体側より順に、正の第１群と、負の第２群と、正の第３群と、を有し、通常観察状態から拡大観察状態において、少なくとも第２群を光軸に沿って動かすことにより変倍と合焦を行う内視鏡対物光学系であって、第１群は、物体側から順に、物体側に平面を向けた平凹の負レンズと、２つの接合レンズと、を有し、以下の条件式（１）を満たすことを特徴とする。
−３.６＜ｆ１／ｆｚ１＜−２  （１）
ここで、
ｆ１は平凹の負レンズの焦点距離、
ｆｚ１は通常観察状態における内視鏡対物光学系全系の焦点距離、
である。
【発明の効果】
【０００９】
本発明によれば、小型かつ高精細であり、製造誤差による光学性能の劣化が低減された内視鏡対物光学系を提供できる。
【図面の簡単な説明】
【００１０】
【図１】（ａ）は実施形態に係る内視鏡対物光学系の通常観察状態におけるレンズ断面構成図である。（ｂ）は実施形態に係る内視鏡対物光学系の拡大観察状態におけるレンズ断面構成図である。
【図２】（ａ）は実施例１に係る内視鏡対物光学系の通常観察状態におけるレンズ断面構成図である。（ｂ）は実施例１に係る内視鏡対物光学系の拡大観察状態におけるレンズ断面構成図である。
【図３】実施例１に係る内視鏡対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、実施例１に係る内視鏡対物光学系の、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図４】（ａ）は実施例２に係る内視鏡対物光学系の通常観察状態におけるレンズ断面構成図である。（ｂ）は実施例２に係る内視鏡対物光学系の拡大観察状態におけるレンズ断面構成図である。
【図５】実施例２に係る内視鏡対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、実施例２に係る内視鏡対物光学系の、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図６】（ａ）は実施例３に係る内視鏡対物光学系の通常観察状態におけるレンズ断面構成図である。（ｂ）は実施例３に係る内視鏡対物光学系の拡大観察状態におけるレンズ断面構成図である。
【図７】実施例３に係る内視鏡対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、実施例３に係る内視鏡対物光学系の、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図８】（ａ）は実施例４に係る内視鏡対物光学系の通常観察状態におけるレンズ断面構成図である。（ｂ）は実施例４に係る内視鏡対物光学系の拡大観察状態におけるレンズ断面構成図である。
【図９】実施例４に係る内視鏡対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、実施例４に係る内視鏡対物光学系の、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図１０】（ａ）は実施例５に係る内視鏡対物光学系の通常観察状態におけるレンズ断面構成図である。（ｂ）は実施例５に係る内視鏡対物光学系の拡大観察状態におけるレンズ断面構成図である。
【図１１】実施例５に係る内視鏡対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、実施例５に係る内視鏡対物光学系の、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図１２】（ａ）は実施例６に係る内視鏡対物光学系の通常観察状態におけるレンズ断面構成図である。（ｂ）は実施例６に係る内視鏡対物光学系の拡大観察状態におけるレンズ断面構成図である。
【図１３】実施例６に係る内視鏡対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、実施例６に係る内視鏡対物光学系の、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図１４】（ａ）は実施例７に係る内視鏡対物光学系の通常観察状態におけるレンズ断面構成図である。（ｂ）は実施例７に係る内視鏡対物光学系の拡大観察状態におけるレンズ断面構成図である。
【図１５】実施例７に係る内視鏡対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、実施例７に係る内視鏡対物光学系の、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図１６】（ａ）は実施例８に係る内視鏡対物光学系の通常観察状態におけるレンズ断面構成図である。（ｂ）は実施例８に係る内視鏡対物光学系の拡大観察状態におけるレンズ断面構成図である。
【図１７】実施例８に係る内視鏡対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、実施例８に係る内視鏡対物光学系の、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【発明を実施するための形態】
【００１１】
以下、本実施形態に係る内視鏡対物光学系について、図面を用いて、このような構成をとった理由と作用を説明する。なお、以下の実施形態によりこの発明が限定されるものではない。
【００１２】
（実施形態）
図１（ａ）は実施形態に係る内視鏡対物光学系の通常観察状態におけるレンズ断面構成図である。図１（ｂ）は実施形態に係る内視鏡対物光学系の拡大観察状態におけるレンズ断面構成図である。
【００１３】
実施形態に係る内視鏡対物光学系は、物体側より順に、正の第１群Ｇ１と、負の第２群Ｇ２と、正の第３群Ｇ３と、を有し、
通常観察状態から拡大観察状態において、少なくとも第２群Ｇ２を光軸ＡＸに沿って動かすことにより変倍と合焦を行う内視鏡対物光学系であって、
第１群Ｇ１は、物体側から順に、物体側に平面を向けた平凹の負レンズＬ１と、２つの接合レンズＣＬ１、ＣＬ２と、を有し、
以下の条件式（１）を満たすことを特徴とする。
−３.６＜ｆ１／ｆｚ１＜−２  （１）
ここで、
ｆ１は平凹の負レンズＬ１の焦点距離、
ｆｚ１は通常観察状態における内視鏡対物光学系全系の焦点距離、
である。
なお、以下、適宜、平凹の負レンズＬ１を第１レンズＬ１という。
【００１４】
条件式（１）は、ｆ１とｆｚ１の適切な比を規定している。
【００１５】
内視鏡対物光学系のレンズ構成を、正の第１群Ｇ１、負の第２群Ｇ２、正の第３群Ｇ３の３群構成とする。第２群Ｇ２の負群で合焦を行うことで、合焦時の収差変動を抑えることができる。また、本実施形態の内視鏡対物光学系は、広角化のため、第１レンズＬ１に強い負の屈折力（パワー）を持つレンズを配置する。第１レンズＬ１に強い負の屈折力を持たせると、主点の位置が像面側（後ろ側）になる。このため、内視鏡対物光学系を小型化しつつ、バックフォーカスを十分に取ることが可能となる。
【００１６】
条件式（１）は、製造誤差による光学性能の劣化を防ぐための条件式である。本実施形態では、第１レンズＬ１に強い負の屈折力を持たせることで小型化し、観察性を高めている。一方で、第１レンズＬ１に強い屈折力を持たせることで製造誤差が発生した際に光学性能の劣化が大きくなってしまう。
【００１７】
条件式（１）の上限値を上回ると、平凹の負レンズＬ１の焦点距離ｆ１が大きくなりすぎてしまう。第１レンズＬ１の曲率半径が小さくなってしまうため、屈折力が強くなる。それにより、レンズの製造誤差による周辺性能のばらつきが大きくなってしまう。
【００１８】
条件式（１）の下限値を下回ると、平凹の負レンズＬ１の焦点距離ｆ１が小さくなりすぎてしまう。このため、球面収差、コマ収差などが発生してしまい性能が悪化する。
【００１９】
また、本実施形態の好ましい態様によれば、第３群Ｇ３は、正レンズＬ８、正レンズＬ９、正レンズＬ１０と負レンズＬ１１の接合レンズＣＬ３と、を有し、以下の条件式（２）、（３）を満たすことが望ましい。
−５＜ｆ５／ｆ７＜−１      （２）
−５＜ｆ６／ｆ７＜−０.３      （３）
ｆ５は第３群Ｇ３の物体側の正レンズＬ８の焦点距離、
ｆ６は第３群Ｇ３の像側の正レンズＬ９の焦点距離
ｆ７は第３群Ｇ３の接合レンズＣＬ３の焦点距離、
である。
【００２０】
条件式（２）は、ｆ５とｆ７との適切な比を規定している。
条件式（３）は、ｆ６とｆ７との適切な比を規定している。
【００２１】
拡大光学系において、イメージャへの光線の斜入射特性は、光軸ＡＸに垂直な面に対してマイナス側にする必要がある。正レンズで急激に光線を曲げてしまうと通常時、第３群群Ｇ３の正レンズ付近で光線高が上がってしまい、フレアの原因となる。そのため、第３群Ｇ３の正レンズでは適切に屈折力を配分する必要がある。
【００２２】
条件式（２）、（３）の上限値を上回ると、正レンズＬ８、Ｌ９の屈折力が強すぎ、球面収差が補正過剰になってしまう。
【００２３】
条件式（２）、（３）の下限値を下回ると、正レンズＬ８、Ｌ９の屈折力が弱く斜入射特性がプラス側に傾いてしまう。
【００２４】
また、条件式（２）、（３）に代えて、以下の条件式（２’）、（３’）を満足することが好ましい。
−３＜ｆ５／ｆ７＜−１            （２’）
−３＜ｆ６／ｆ７＜−０.９          （３’）
【００２５】
また、本実施形態の好ましい態様によれば、以下の条件式（４）を満たすことが望ましい。
２.１＜Ｌｓ／Ｂｋ＜５      （４）
Ｌｓは第２群Ｇ２の通常観察状態から拡大観察状態における移動長、
Ｂｋは内視鏡対物光学系の最終面から像面Ｉまでの光軸ＡＸに沿った距離、
である。
【００２６】
条件式（４）は、第２群Ｇ２の通常観察状態から拡大観察状態における移動長（光学ストローク長）、内視鏡対物光学系の最終面から像面Ｉまでの光軸に沿った距離（バックフォーカス）を適切に設定するための条件式である。
【００２７】
条件式（４）の上限値を上回るとバックフォーカスを十分に取れず、ピント調整ができず、レンズの組立ができない。
【００２８】
条件式（４）の下限値を下回るとストローク長が短くなってしまい、変倍時の感度が高くなってしまい、内視鏡対物光学系の操作性が悪化してしまう。
【００２９】
また、条件式（４）に代えて、以下の条件式（４’）を満たすことが好ましい。
２.４＜Ｌｓ／Ｂｋ＜４.６      （４’）
【００３０】
また、本実施形態の好ましい態様によれば、以下の条件式（５）を満たすことが望ましい。
０.８＜ＦＦｚ３／ｆｚ３＜４      （５）
ＦＦｚ３は内視鏡対物光学系の拡大観察状態における前側焦点から内視鏡対物光学系の最も物体側の面までの距離（前側焦点位置）、
ｆｚ３は拡大観察状態の内視鏡対物光学系全系の焦点距離、
である。
【００３１】
条件式（５）は、拡大観察時の倍率を適切に設定するための条件式である。
【００３２】
条件式（５）の上限値を上回ると、ＦＦｚ３が大きくなりすぎてしまう。これにより、拡大観察時の倍率が小さすぎてしまい、観察したい被写体の分解能が不足する。このため、観察性が悪化する。
【００３３】
条件式（５）の下限値を下回ると、ＦＦｚ３が小さくなり、拡大観察時の倍率は大きくなる。しかしながら、ディストーションが大きくなりすぎてしまい、拡大観察時の周辺部が密に見え、観察性が悪化してしまう。
【００３４】
また、条件式（５）に代えて、以下の条件式（５’）を満たすことが好ましい。
１.１＜ＦＦｚ３／ｆz３＜３      （５’）
【００３５】
また、本実施形態の好ましい態様によれば、以下の条件式（６）を満たすことが望ましい。
−６＜ｆ７／ｆ３＜−０.５      （６）
ｆ７は第３群Ｇ３の接合レンズＣＬ３の焦点距離、
ｆ３は第１群Ｇ１の像側の接合レンズＣＬ２の焦点距離、
である。
【００３６】
条件式（６）は、イメージャへの光線の斜入射特性を満たすための条件式である。
【００３７】
条件式（６）の上限値を上回ると、ｆ７の屈折力が強くなりすぎてしまう。これにより、ｆ７の製造誤差による倍率色収差感度が強くなりすぎてしまい、性能が劣化してしまう。
【００３８】
条件式（６）の下限値を下回ると、ｆ７の屈折力が弱くなってしまう。これにより、イメージャへの光線の斜入射特性がプラス側へ傾いてしまい、視野の周辺領域が暗くなってしまう。
【００３９】
また、条件式（６）に代えて、以下の条件式（６’）を満たすことが好ましい。
−２＜ｆ７／ｆ３＜−０.７４      （６’）
【００４０】
また、本実施形態の好ましい態様によれば、以下の条件式（７）を満たすことが望ましい。
−３０＜ｆ２／ｆz１＜−１        （７）
ｆ２は第１群Ｇ１の物体側の接合レンズＣＬ１の焦点距離、
ｆｚ１は通常観察状態における内視鏡対物光学系全系の焦点距離、
である。
【００４１】
条件式（７）は、ｆ２とｆz１の適切な比を規定している。
【００４２】
接合レンズＣＬ１は色収差を補正しつつ、第１レンズＬ１の強い屈折力で発生した像面湾曲を補正する効果を有する。
【００４３】
条件式（７）の上限値を上回ると、物体側の接合レンズＣＬ１の焦点距離ｆ２が大きくなり、サジタル（Ｓ）像面、メリジオナル（Ｍ）像面の開きが大きくなる。これにより、非点収差を補正しきれない。
【００４４】
条件式（７）の下限値を下回ると、物体側の接合レンズＣＬ１の焦点距離ｆ２が小さくなり、屈折力が弱すぎてしまい、色収差補正に効果がなくなってしまう。
【００４５】
また、条件式（７）に代えて、以下の条件式（７’）を満たすことが好ましい。
−２６＜ｆ２／ｆz１＜−５      （７’）
【００４６】
また、本実施形態の好ましい態様によれば、以下の条件式（８）を満たすことが望ましい。
−８＜ｆ２／ｆ３＜−１      （８）
ｆ２は第１群Ｇ１の物体側の接合レンズＣＬ１の焦点距離、
ｆ３は第１群Ｇ１の像側の接合レンズＣＬ２の焦点距離、
である。
【００４７】
条件式（８）は、レンズの加工性と像面湾曲補正のための条件式である。
【００４８】
条件式（８）の上限値を上回ると、ｆ２の接合面の曲率がきつく（小さく）なりすぎてしまい、レンズのフチ肉厚を十分に確保することができず、製造上好ましくない。
【００４９】
条件式（８）の下限値を下回ると、ｆ２の接合面の曲率が緩く（大きく）なりすぎてしまい、像面湾曲の補正が十分にできない。
【００５０】
また、条件式（８）に代えて、以下の条件式（８’）を満たすことが好ましい。
−４＜ｆ２／ｆ３＜−１.１      （８’）
【００５１】
また、本実施形態の好ましい態様によれば、第３群Ｇ３は、カバーガラスＣＧに接合された像面側に平面を向けた凸平の正レンズＬ１２を有し、以下の条件式（９）を満たすことが望ましい。カバーガラスＣＧは、平行平板である。
−１０＜ｆ８／ｆ１＜−０.５    （９）
ｆ８はカバーガラスＣＧに接合された正レンズＬ１２の焦点距離、
ｆ１は平凹の負レンズＬ１の焦点距離、
である。
【００５２】
条件式（９）は、光学系の組み立て時の調整感度に関する条件式である。
【００５３】
条件式（９）の下限値を下回るとｆ８が小さくなりすぎてしまう。このため、光学系の組み立て時の調整感度がきつくなってしまう。
【００５４】
条件式（９）の上限値を上回るとｆ１の屈折力が強くなりすぎてしまう。このため、光学系の製造誤差による周辺性能のバラつきが大きくなってしまう。
【００５５】
また、条件式（９）に代えて、以下の条件式（９’）を満たすことが好ましい。
−７＜ｆ８／ｆ１＜−１.２      （９’）
【００５６】
また、本実施形態の好ましい態様によれば、第３群Ｇ３の接合レンズＣＬ３は両凹の負レンズＬ１１を有し、以下の条件式（１０）を満たすことが望ましい。
０.１＜ＳＦ７２＜０.９      （１０）
ＳＦ７２は両凹の負レンズＬ１１のシェイピングファクターである。両凹の負レンズＬ１１の物体側の曲率半径をｒ７２、両凹の負レンズＬ１１の像側の曲率半径をｒ７３とするとＳＦ７２＝（ｒ７２＋ｒ７３）／（ｒ７２−ｒ７３）である。
【００５７】
条件式（１０）は、イメージャへの光線の斜入射特性を満たすための条件式である。
【００５８】
条件式（１０）の上限値を上回ると接合レンズＣＬ３の接合面の曲率半径が大きくなりすぎてしまい、倍率色収差を補正できない。
【００５９】
条件式（１０）の下限値を下回るとシェイピングファクターが小さくなりすぎてしまい、像面側の曲率半径が小さくなってしまう。このため、撮像面への斜入射特性がプラス側に傾いてしまい、周辺が暗くなってしまう。
【００６０】
また、条件式（１０）に代えて、以下の条件式（１０’）を満たすことが好ましい。
０.２＜ＳＦ７２＜０.７      （１０’）
【００６１】
（実施例１）
実施例１に係る内視鏡対物光学系について説明する。
図２（ａ）は実施例１に係る内視鏡対物光学系の通常観察状態におけるレンズ断面構成図である。図２（ｂ）は実施例１に係る内視鏡対物光学系の拡大観察状態におけるレンズ断面構成図である。
【００６２】
内視鏡対物光学系は、物体側から順に、正の第１群Ｇ１と、明るさ絞りＳと、負の第２群Ｇ２と、正の第３群Ｇ３と、を有している。
【００６３】
正の第１群Ｇ１は、物体側から順に、平面を物体側に向けた平凹の負レンズＬ１と、両凹の負レンズＬ２と、両凸の正レンズＬ３と、赤外吸収フィルターＦ１と、平面を物体側に向けた平凸正レンズＬ４と、像側に凸面を向けた負メニスカスレンズＬ５と、を有する。負レンズＬ２と正レンズＬ３とは接合され接合レンズＣＬ１を構成する。正レンズＬ４と負メニスカスレンズＬ５とは接合され接合レンズＣＬ２を構成する。第１群Ｇ１の像側に明るさ絞りＳが配置されている。
【００６４】
負の第２群Ｇ２は、物体側から順に、物体側に平面を向けた平凹負レンズＬ６と、物体側も凸面を向けた正メニスカスレンズＬ７と、を有する。負レンズＬ６と正メニスカスレンズＬ７とは接合されている。第２群Ｇ２は、通常観察状態から拡大観察状態へフォーカシングするに際して、光軸ＡＸに沿って像側へ移動する。ｒ１２とｒ１６は仮想面である。
【００６５】
正の第３群Ｇ３は、物体側から順に、両凸の正レンズＬ８と、像側に平面を向けた平凸正レンズＬ９と、両凸の正レンズＬ１０と、両凹の負レンズＬ１１と、像側に平面を向けた平凸正レンズＬ１２と、を有する。正レンズＬ１０と負レンズＬ１１とは接合され接合レンズＣＬ３を構成する。正レンズＬ１２とカバーガラスＣＧとは接合されている。平行平板であるカバーガラスＣＧは、不図示の撮像素子の撮像面である像面Ｉに接合されている。
【００６６】
平行平板である赤外吸収フィルターＦ１は、特定の波長、例えばＹＡＧレーザーの１０６０ｎｍ、半導体レーザーの８１０ｎｍ、あるいは赤外域をカットするためのコーティングが施されたフィルターである。
【００６７】
実施例１に係る内視鏡対物光学系の、図３（ａ）は通常観察状態における球面収差（ＳＡ）、図３（ｂ）は通常観察状態における非点収差（ＡＳ）、図３（ｃ）は通常観察状態における歪曲収差（ＤＴ）、図３（ｄ）は通常観察状態における倍率色収差（ＣＣ）を示している。
また、図３（ｅ）は拡大観察状態における球面収差（ＳＡ）、図３（ｆ）は拡大観察状態における非点収差（ＡＳ）、図３（ｇ）は拡大観察状態における歪曲収差（ＤＴ）、図３（ｈ）は拡大観察状態における倍率色収差（ＣＣ）を示している。
【００６８】
これら、諸収差図は、５４６．７ｎｍ（ｅ線）、４３５．８４（ｇ線）、４８６．１３（Ｆ線）、６５６．３ｎｍ（Ｃ線）の各波長について示している。また、各図中、”ＦＩＹ”は像高を示す。以下、収差図に関しては、同様の符号を用いる。
【００６９】
（実施例２）
実施例２に係る内視鏡対物光学系について説明する。
図４（ａ）は実施例２に係る内視鏡対物光学系の通常観察状態におけるレンズ断面構成図である。図４（ｂ）は実施例２に係る内視鏡対物光学系の拡大観察状態におけるレンズ断面構成図である。
【００７０】
内視鏡対物光学系は、物体側から順に、正の第１群Ｇ１と、明るさ絞りＳと、負の第２群Ｇ２と、正の第３群Ｇ３と、を有している。
【００７１】
正の第１群Ｇ１は、物体側から順に、平面を物体側に向けた平凹の負レンズＬ１と、両凹の負レンズＬ２と、両凸の正レンズＬ３と、赤外吸収フィルターＦ１と、両凸正レンズＬ４と、像側に凸面を向けた負メニスカスレンズＬ５と、を有する。負レンズＬ２と正レンズＬ３とは接合され接合レンズＣＬ１を構成する。正レンズＬ４と負メニスカスレンズＬ５とは接合され接合レンズＣＬ２を構成する。第１群Ｇ１の像側に明るさ絞りＳが配置されている。
【００７２】
負の第２群Ｇ２は、物体側から順に、物体側に凸面を向けた負メニスカスレンズＬ６と、物体側も凸面を向けた正メニスカスレンズＬ７と、を有する。負メニスカスレンズＬ６と正メニスカスレンズＬ７とは接合されている。第２群Ｇ２は、通常観察状態から拡大観察状態へフォーカシングするに際して、光軸ＡＸに沿って像側へ移動する。ｒ１２とｒ１６は仮想面である。
【００７３】
正の第３群Ｇ３は、物体側から順に、両凸の正レンズＬ８と、両凸の正レンズＬ９と、両凸の正レンズＬ１０と、両凹の負レンズＬ１１と、像側に平面を向けた平凸正レンズＬ１２と、を有する。正レンズＬ１０と負レンズＬ１１とは接合され接合レンズＣＬ３を構成する。正レンズＬ１２とカバーガラスＣＧとは接合されている。平行平板であるカバーガラスＣＧは、不図示の撮像素子の撮像面である像面Ｉに接合されている。
【００７４】
平行平板である赤外吸収フィルターＦ１は、特定の波長、例えばＹＡＧレーザーの１０６０ｎｍ、半導体レーザーの８１０ｎｍ、あるいは赤外域をカットするためのコーティングが施されたフィルターである。
【００７５】
実施例２に係る内視鏡対物光学系の、図５（ａ）は通常観察状態における球面収差（ＳＡ）、図５（ｂ）は通常観察状態における非点収差（ＡＳ）、図５（ｃ）は通常観察状態における歪曲収差（ＤＴ）、図５（ｄ）は通常観察状態における倍率色収差（ＣＣ）を示している。
また、図５（ｅ）は拡大観察状態における球面収差（ＳＡ）、図５（ｆ）は拡大観察状態における非点収差（ＡＳ）、図５（ｇ）は拡大観察状態における歪曲収差（ＤＴ）、図５（ｈ）は拡大観察状態における倍率色収差（ＣＣ）を示している。
【００７６】
（実施例３）
実施例３に係る内視鏡対物光学系について説明する。
図６（ａ）は実施例３に係る内視鏡対物光学系の通常観察状態におけるレンズ断面構成図である。図６（ｂ）は実施例３に係る内視鏡対物光学系の拡大観察状態におけるレンズ断面構成図である。
【００７７】
内視鏡対物光学系は、物体側から順に、正の第１群Ｇ１と、明るさ絞りＳと、負の第２群Ｇ２と、正の第３群Ｇ３と、を有している。
【００７８】
正の第１群Ｇ１は、物体側から順に、平面を物体側に向けた平凹の負レンズＬ１と、両凹の負レンズＬ２と、両凸の正レンズＬ３と、赤外吸収フィルターＦ１と、両凸正レンズＬ４と、像側に凸面を向けた負メニスカスレンズＬ５と、を有する。負レンズＬ２と正レンズＬ３とは接合され接合レンズＣＬ１を構成する。正レンズＬ４と負メニスカスレンズＬ５とは接合され接合レンズＣＬ２を構成する。第１群Ｇ１の像側に明るさ絞りＳが配置されている。
【００７９】
負の第２群Ｇ２は、物体側から順に、物体側に凸面を向けた負メニスカスレンズＬ６と、物体側も凸面を向けた正メニスカスレンズＬ７と、を有する。負メニスカスレンズＬ６と正メニスカスレンズＬ７とは接合されている。第２群Ｇ２は、通常観察状態から拡大観察状態へフォーカシングするに際して、光軸ＡＸに沿って像側へ移動する。ｒ１２とｒ１６とｒ２４は仮想面である。
【００８０】
正の第３群Ｇ３は、物体側から順に、両凸の正レンズＬ８と、両凸の正レンズＬ９と、両凸の正レンズＬ１０と、両凹の負レンズＬ１１と、像側に平面を向けた平凸正レンズＬ１２と、を有する。正レンズＬ１０と負レンズＬ１１とは接合され接合レンズＣＬ３を構成する。正レンズＬ１２とカバーガラスＣＧとは接合されている。平行平板であるカバーガラスＣＧは、不図示の撮像素子の撮像面である像面Ｉに接合されている。
【００８１】
平行平板である赤外吸収フィルターＦ１は、特定の波長、例えばＹＡＧレーザーの１０６０ｎｍ、半導体レーザーの８１０ｎｍ、あるいは赤外域をカットするためのコーティングが施されたフィルターである。
【００８２】
実施例３に係る内視鏡対物光学系の、図７（ａ）は通常観察状態における球面収差（ＳＡ）、図７（ｂ）は通常観察状態における非点収差（ＡＳ）、図７（ｃ）は通常観察状態における歪曲収差（ＤＴ）、図７（ｄ）は通常観察状態における倍率色収差（ＣＣ）を示している。
また、図７（ｅ）は拡大観察状態における球面収差（ＳＡ）、図７（ｆ）は拡大観察状態における非点収差（ＡＳ）、図７（ｇ）は拡大観察状態における歪曲収差（ＤＴ）、図７（ｈ）は拡大観察状態における倍率色収差（ＣＣ）を示している。
【００８３】
（実施例４）
実施例４に係る内視鏡対物光学系について説明する。
図８（ａ）は実施例４に係る内視鏡対物光学系の通常観察状態におけるレンズ断面構成図である。図８（ｂ）は実施例４に係る内視鏡対物光学系の拡大観察状態におけるレンズ断面構成図である。
【００８４】
内視鏡対物光学系は、物体側から順に、正の第１群Ｇ１と、明るさ絞りＳと、負の第２群Ｇ２と、正の第３群Ｇ３と、を有している。
【００８５】
正の第１群Ｇ１は、物体側から順に、平面を物体側に向けた平凹の負レンズＬ１、両凹の負レンズＬ２と、両凸の正レンズＬ３と、赤外吸収フィルターＦ１と、平面を物体側に向けた平凸正レンズＬ４と、像側に凸面を向けた負メニスカスレンズＬ５と、を有する。負レンズＬ２と正レンズＬ３とは接合され接合レンズＣＬ１を構成する。正レンズＬ４と負メニスカスレンズＬ５とは接合され接合レンズＣＬ２を構成する。第１群Ｇ１の像側に明るさ絞りＳが配置されている。
【００８６】
負の第２群Ｇ２は、物体側から順に、物体側に凸面を向けた負メニスカスレンズＬ６と、物体側も凸面を向けた正メニスカスレンズＬ７と、を有する。負メニスカスレンズＬ６と正メニスカスレンズＬ７とは接合されている。第２群Ｇ２は、通常観察状態から拡大観察状態へフォーカシングするに際して、光軸ＡＸに沿って像側へ移動する。ｒ１２とｒ１６とｒ２４は仮想面である。
【００８７】
正の第３群Ｇ３は、物体側から順に、両凸の正レンズＬ８と、像側に平面を向けた平凸正レンズＬ９と、両凸の正レンズＬ１０と、両凹の負レンズＬ１１と、像側に平面を向けた平凸正レンズＬ１２と、を有する。正レンズＬ１０と負レンズＬ１１とは接合され接合レンズＣＬ３を構成する。正レンズＬ１２とカバーガラスＣＧとは接合されている。平行平板であるカバーガラスＣＧは、不図示の撮像素子の撮像面である像面Ｉに接合されている。
【００８８】
平行平板である赤外吸収フィルターＦ１は、特定の波長、例えばＹＡＧレーザーの１０６０ｎｍ、半導体レーザーの８１０ｎｍ、あるいは赤外域をカットするためのコーティングが施されたフィルターである。
【００８９】
実施例４に係る内視鏡対物光学系の、図９（ａ）は通常観察状態における球面収差（ＳＡ）、図９（ｂ）は通常観察状態における非点収差（ＡＳ）、図９（ｃ）は通常観察状態における歪曲収差（ＤＴ）、図９（ｄ）は通常観察状態における倍率色収差（ＣＣ）を示している。
また、図９（ｅ）は拡大観察状態における球面収差（ＳＡ）、図９（ｆ）は拡大観察状態における非点収差（ＡＳ）、図９（ｇ）は拡大観察状態における歪曲収差（ＤＴ）、図９（ｈ）は拡大観察状態における倍率色収差（ＣＣ）を示している。
【００９０】
（実施例５）
実施例５に係る内視鏡対物光学系について説明する。
図１０（ａ）は実施例５に係る内視鏡対物光学系の通常観察状態におけるレンズ断面構成図である。図１０（ｂ）は実施例５に係る内視鏡対物光学系の拡大観察状態におけるレンズ断面構成図である。
【００９１】
内視鏡対物光学系は、物体側から順に、正の第１群Ｇ１と、明るさ絞りＳと、負の第２群Ｇ２と、正の第３群Ｇ３と、を有している。
【００９２】
正の第１群Ｇ１は、物体側から順に、平面を物体側に向けた平凹の負レンズＬ１と、両凹の負レンズＬ２と、両凸の正レンズＬ３と、赤外吸収フィルターＦ１と、両凸の正レンズＬ４と、像側に凸面を向けた負メニスカスレンズＬ５と、を有する。負レンズＬ２と正レンズＬ３とは接合され接合レンズＣＬ１を構成する。正レンズＬ４と負メニスカスレンズＬ５とは接合され接合レンズＣＬ２を構成する。第１群Ｇ１の像側に明るさ絞りＳが配置されている。
【００９３】
負の第２群Ｇ２は、物体側から順に、両凹の負レンズＬ６と、物体側も凸面を向けた正メニスカスレンズＬ７と、を有する。負レンズＬ６と正メニスカスレンズＬ７とは接合されている。第２群Ｇ２は、通常観察状態から拡大観察状態へフォーカシングするに際して、光軸ＡＸに沿って像側へ移動する。ｒ１２とｒ１６は仮想面である。
【００９４】
正の第３群Ｇ３は、物体側から順に、両凸の正レンズＬ８と、像側に平面を向けた平凸正レンズＬ９と、両凸の正レンズＬ１０と、両凹の負レンズＬ１１と、像側に平面を向けた平凸正レンズＬ１２と、を有する。正レンズＬ１０と負レンズＬ１１とは接合されて接合レンズＣＬ３を構成している。平行平板であるカバーガラスＣＧは、不図示の撮像素子の撮像面である像面Ｉに接合されている。
【００９５】
平行平板である赤外吸収フィルターＦ１は、特定の波長、例えばＹＡＧレーザーの１０６０ｎｍ、半導体レーザーの８１０ｎｍ、あるいは赤外域をカットするためのコーティングが施されたフィルターである。
【００９６】
実施例５に係る内視鏡対物光学系の、図１１（ａ）は通常観察状態における球面収差（ＳＡ）、図１１（ｂ）は通常観察状態における非点収差（ＡＳ）、図１１（ｃ）は通常観察状態における歪曲収差（ＤＴ）、図１１（ｄ）は通常観察状態における倍率色収差（ＣＣ）を示している。
また、図１１（ｅ）は拡大観察状態における球面収差（ＳＡ）、図１１（ｆ）は拡大観察状態における非点収差（ＡＳ）、図１１（ｇ）は拡大観察状態における歪曲収差（ＤＴ）、図１１（ｈ）は拡大観察状態における倍率色収差（ＣＣ）を示している。
【００９７】
（実施例６）
実施例６に係る内視鏡対物光学系について説明する。
図１２（ａ）は実施例６に係る内視鏡対物光学系の通常観察状態におけるレンズ断面構成図である。図１２（ｂ）は実施例６に係る内視鏡対物光学系の拡大観察状態におけるレンズ断面構成図である。
【００９８】
内視鏡対物光学系は、物体側から順に、正の第１群Ｇ１と、明るさ絞りＳと、負の第２群Ｇ２と、正の第３群Ｇ３と、を有している。
【００９９】
正の第１群Ｇ１は、物体側から順に、平面を物体側に向けた平凹の負レンズＬ１、両凹の負レンズＬ２と、両凸の正レンズＬ３、赤外吸収フィルターＦ１、平面を物体側に向けた平凸正レンズＬ４と、像側に凸面を向けた負メニスカスレンズＬ５と、を有する。負レンズＬ２と正レンズＬ３とは接合され接合レンズＣＬ１を構成する。正レンズＬ４と負メニスカスレンズＬ５とは接合され接合レンズＣＬ２を構成する。第１群Ｇ１の像側に明るさ絞りＳが配置されている。
【０１００】
負の第２群Ｇ２は、物体側から順に、物体側に凸面を向けた負メニスカスレンズＬ６と、物体側に凸面を向けた正メニスカスレンズＬ７と、を有する。負メニスカスレンズＬ６と正メニスカスレンズＬ７とは接合されている。第２群Ｇ２は、通常観察状態から拡大観察状態へフォーカシングするに際して、光軸ＡＸに沿って像側へ移動する。ｒ１２とｒ１６は仮想面である。
【０１０１】
正の第３群Ｇ３は、物体側から順に、両凸の正レンズＬ８と、像側に平面を向けた平凸正レンズＬ９と、両凸の正レンズＬ１０と、両凹の負レンズＬ１１と、像側に平面を向けた平凸正レンズＬ１２と、を有する。正レンズＬ１０と負レンズＬ１１とは接合されて接合レンズＣＬ３を構成している。正レンズＬ１２とカバーガラスＣＧとは接合されている。平行平板であるカバーガラスＣＧは、不図示の撮像素子の撮像面である像面Ｉに接合されている。
【０１０２】
平行平板である赤外吸収フィルターＦ１は、特定の波長、例えばＹＡＧレーザーの１０６０ｎｍ、半導体レーザーの８１０ｎｍ、あるいは赤外域をカットするためのコーティングが施されたフィルターである。
【０１０３】
実施例６に係る内視鏡対物光学系の、図１３（ａ）は通常観察状態における球面収差（ＳＡ）、図１３（ｂ）は通常観察状態における非点収差（ＡＳ）、図１３（ｃ）は通常観察状態における歪曲収差（ＤＴ）、図１３（ｄ）は通常観察状態における倍率色収差（ＣＣ）を示している。
また、図１３（ｅ）は拡大観察状態における球面収差（ＳＡ）、図１３（ｆ）は拡大観察状態における非点収差（ＡＳ）、図１３（ｇ）は拡大観察状態における歪曲収差（ＤＴ）、図１３（ｈ）は拡大観察状態における倍率色収差（ＣＣ）を示している。
【０１０４】
（実施例７）
実施例７に係る内視鏡対物光学系について説明する。
図１４（ａ）は実施例７に係る内視鏡対物光学系の通常観察状態におけるレンズ断面構成図である。図１４（ｂ）は実施例７に係る内視鏡対物光学系の拡大観察状態におけるレンズ断面構成図である。
【０１０５】
内視鏡対物光学系は、物体側から順に、正の第１群Ｇ１と、明るさ絞りＳと、負の第２群Ｇ２と、正の第３群Ｇ３と、を有している。
【０１０６】
正の第１群Ｇ１は、物体側から順に、平面を物体側に向けた平凹の負レンズＬ１と、両凹の負レンズＬ２と、両凸の正レンズＬ３と、赤外吸収フィルターＦ１と、両凸の正レンズＬ４と、像側に凸面を向けた負メニスカスレンズＬ５と、を有する。負レンズＬ２と正レンズＬ３とは接合され接合レンズＣＬ１を構成する。正レンズＬ４と負メニスカスレンズＬ５とは接合され接合レンズＣＬ２を構成する。第１群Ｇ１の像側に明るさ絞りＳが配置されている。
【０１０７】
負の第２群Ｇ２は、物体側から順に、物体側に凸面を向けた負メニスカスレンズＬ６と、物体側も凸面を向けた正メニスカスレンズＬ７と、を有する。負メニスカスレンズＬ６と正メニスカスレンズＬ７とは接合されている。第２群Ｇ２は、通常観察状態から拡大観察状態へフォーカシングするに際して、光軸ＡＸに沿って像側へ移動する。ｒ１２とｒ１６は仮想面である。
【０１０８】
正の第３群Ｇ３は、物体側から順に、両凸の正レンズＬ８と、像側に平面を向けた平凸の正レンズＬ９と、両凸の正レンズＬ１０と、両凹の負レンズＬ１１と、像側に平面を向けた平凸正レンズＬ１２と、を有する。正レンズＬ１０と負レンズＬ１１とは接合されて接合レンズＣＬ３を構成する。正レンズＬ１２とカバーガラスＣＧとは接合されている。平行平板であるカバーガラスＣＧは、不図示の撮像素子の撮像面である像面Ｉにに接合されている。
【０１０９】
平行平板である赤外吸収フィルターＦ１は、特定の波長、例えばＹＡＧレーザーの１０６０ｎｍ、半導体レーザーの８１０ｎｍ、あるいは赤外域をカットするためのコーティングが施されたフィルターである。
【０１１０】
実施例７に係る内視鏡対物光学系の、図１５（ａ）は通常観察状態における球面収差（ＳＡ）、図１５（ｂ）は通常観察状態における非点収差（ＡＳ）、図１５（ｃ）は通常観察状態における歪曲収差（ＤＴ）、図１５（ｄ）は通常観察状態における倍率色収差（ＣＣ）を示している。
また、図１５（ｅ）は拡大観察状態における球面収差（ＳＡ）、図１５（ｆ）は拡大観察状態における非点収差（ＡＳ）、図１５（ｇ）は拡大観察状態における歪曲収差（ＤＴ）、図１５（ｈ）は拡大観察状態における倍率色収差（ＣＣ）を示している。
【０１１１】
（実施例８）
実施例８に係る内視鏡対物光学系について説明する。
図１６（ａ）は実施例８に係る内視鏡対物光学系の通常観察状態におけるレンズ断面構成図である。図１６（ｂ）は実施例８に係る内視鏡対物光学系の拡大観察状態におけるレンズ断面構成図である。
【０１１２】
内視鏡対物光学系は、物体側から順に、正の第１群Ｇ１と、明るさ絞りＳと、負の第２群Ｇ２と、正の第３群Ｇ３と、を有している。
【０１１３】
正の第１群Ｇ１は、物体側から順に、平面を物体側に向けた平凹の負レンズＬ１と、両凹の負レンズＬ２と、両凸の正レンズＬ３、赤外吸収フィルターＦ１と、像側に凸面を向けた正メニスカスレンズＬ４と、像側に凸面を向けた負メニスカスレンズＬ５と、を有する。負レンズＬ２と正レンズＬ３とは接合され接合レンズＣＬ１を構成する。正メニスカスレンズＬ４と負メニスカスレンズＬ５とは接合され接合レンズＣＬ２を構成する。第１群Ｇ１の像側に明るさ絞りＳが配置されている。
【０１１４】
負の第２群Ｇ２は、物体側から順に、物体側に凸面を向けた負メニスカスレンズＬ６と、物体側も凸面を向けた正メニスカスレンズＬ７と、を有する。負メニスカスレンズＬ６と正メニスカスレンズＬ７とは接合されている。第２群Ｇ２は、通常観察状態から拡大観察状態へフォーカシングするに際して、光軸ＡＸに沿って像側へ移動する。ｒ１２とｒ１６は仮想面である。
【０１１５】
正の第３群Ｇ３は、物体側から順に、両凸の正レンズＬ８と、像側に平面を向けた平凸の正レンズＬ９と、両凸の正レンズＬ１０と、両凹の負レンズＬ１１と、を有する。正レンズＬ１０と負レンズＬ１１とは接合されて接合レンズＣＬ３を構成している。平行平板Ｆ２とカバーガラスＣＧとは接合されている。平行平板であるカバーガラスＣＧは、不図示の撮像素子の撮像面である像面Ｉに接合されている。
【０１１６】
平行平板である赤外吸収フィルターＦ１は、特定の波長、例えばＹＡＧレーザーの１０６０ｎｍ、半導体レーザーの８１０ｎｍ、あるいは赤外域をカットするためのコーティングが施されたフィルターである。
【０１１７】
実施例８に係る内視鏡対物光学系の、図１７（ａ）は通常観察状態における球面収差（ＳＡ）、図１７（ｂ）は通常観察状態における非点収差（ＡＳ）、図１７（ｃ）は通常観察状態における歪曲収差（ＤＴ）、図１７（ｄ）は通常観察状態における倍率色収差（ＣＣ）を示している。
また、図１７（ｅ）は拡大観察状態における球面収差（ＳＡ）、図１７（ｆ）は拡大観察状態における非点収差（ＡＳ）、図１７（ｇ）は拡大観察状態における歪曲収差（ＤＴ）、図１７（ｈ）は拡大観察状態における倍率色収差（ＣＣ）を示している。
【０１１８】
以下、数値実施例を示す。ｒ１、ｒ２、・・・はレンズ各面の曲率半径、ｄ１、ｄ２、・・・は各レンズの肉厚および面間隔、n１、n２、・・・は各レンズのｅ線に対する屈折率、ν１、ν２、・・・は各レンズのｄ線に対するアッベ数である。絞りは、明るさ絞りである。
【０１１９】
数値実施例１
単位  ｍｍ
面データ
面番号         r          d         ne        νd
1        ∞        0.51     1.88300    40.78
2       2.178      1.45
3      -6.771      1.69     1.88300    40.76
4       2.096      2.41     1.51742    52.43
5      -3.390      0.11
6        ∞        0.89     1.49400    75.00
7        ∞        0.22
8        ∞        1.76     1.72916    54.68
9      -3.216      1.14     1.84666    23.78
10      -4.693      0.11
11(絞り)  ∞        0.07
12        ∞        可変
13        ∞        0.71     1.49700    81.54
14       3.713      0.73     1.84666    23.78
15       4.212      0.30
16        ∞        可変
17       7.394      1.56     1.48749    70.23
18      -7.394      0.22
19       4.194      1.34     1.53775    74.70
20        ∞        0.29
21       4.563      1.14     1.51633    64.14
22      -6.477      0.67     1.95906    17.47
23       3.780      0.77
24       4.009      1.00     1.51633    64.14
25        ∞        0.02     1.51500    64.00
26        ∞        0.78     1.50700    63.26
27        ∞ 
29(像面) 
ズームデータ  
通常観察状態     拡大観察状態
焦点距離       1.05           1.25
ＦＮＯ．       3.04           3.62
d12            0.29           2.34  
d16            2.38           0.33   
【０１２０】
数値実施例２
単位  ｍｍ
面データ
面番号         r          d         ne        νd
1        ∞        0.51     1.88300    40.78
2       2.895      1.45
3      -5.431      1.70     1.88300    40.76
4       2.034      2.41     1.51742    52.43
5      -3.389      0.26
6        ∞        0.89     1.49400    75.00
7        ∞        0.22
8     684.692      1.76     1.72916    54.68
9      -3.212      1.14     1.84666    23.78
10      -4.701      0.11
11(絞り)  ∞        0.07
12        ∞        可変
13      80.180      0.64     1.49700    81.54
14       3.722      0.61     1.84666    23.78
15       4.192      0.30
16        ∞        可変
17       7.394      1.56     1.48749    70.23
18      -7.386      0.22
19       4.162      1.32     1.53775    74.70
20     -70.480      0.29
21       4.548      1.12     1.51633    64.14
22      -6.142      0.66     1.95906    17.47
23       3.795      0.49
24       4.009      1.00     1.51633    64.14
25        ∞        0.02     1.51500    64.00
26        ∞        0.78     1.50700    63.26
27        ∞
28(像面) 
ズームデータ
通常観察状態     拡大観察状態
焦点距離       1.08           1.27
ＦＮＯ．       2.83           3.33
d12            0.29           2.36  
d16            2.40           0.32
【０１２１】
数値実施例３
単位  ｍｍ
面データ
面番号         r          d         ne        νd
1        ∞        0.51     1.88300    40.78
2       2.218      1.45
3      -5.859      1.64     1.88300    40.76
4       2.089      2.17     1.51742    52.43
5      -3.575      0.13
6        ∞        0.89     1.49400    75.00
7        ∞        0.22
8      21.053      1.71     1.72916    54.68
9      -3.206      1.08     1.84666    23.78
10      -4.658      0.11
11(絞り)  ∞        0.07
12        ∞        可変
13      59.032      0.58     1.49700    81.54
14       3.812      0.52     1.84666    23.78
15       4.012      0.30
16        ∞        可変
17       7.765      1.62     1.48749    70.23
18      -7.745      0.22
19       5.420      1.35     1.53775    74.70
20     -43.839      0.29
21       4.518      1.24     1.51633    64.14
22     -20.974      0.76     1.95906    17.47
23       3.746      0.07
24        ∞        0.53
25       4.009      1.00     1.51633    64.14
26        ∞        0.02     1.51500    64.00
27        ∞        0.78     1.50700   63.26
28        ∞
29(像面)
ズームデータ
通常観察状態     拡大観察状態
焦点距離       1.06           1.26
ＦＮＯ．       2.94           3.49
d12            0.26           2.25  
d16            2.27           0.27  
【０１２２】
数値実施例４
単位  ｍｍ
面データ
面番号         r          d         ne        νd
1        ∞        0.51     1.88300    40.78
2       3.341      1.40
3      -5.655      1.71     1.88300    40.76
4       2.020      2.42     1.51742    52.43
5      -3.377      0.21
6        ∞        0.89     1.49400    75.00
7        ∞        0.52
8    -142.693      1.76     1.72916    54.68
9      -3.204      1.13     1.84666    23.78
10      -4.707      0.00
11(絞り)  ∞        0.06
12        ∞        可変
13      54.409      0.66     1.49700    81.54
14       3.722      0.65     1.84666    23.78
15       4.197      0.06
16        ∞        可変
17       7.383      1.55     1.48749    70.23
18      -7.373      0.10
19       3.827      1.34     1.53775    74.70
20        ∞        0.26
21       4.548      1.15     1.51633    64.14
22      -5.846      0.66     1.95906    17.47
23       3.786      0.09
24        ∞        0.38
25       3.706      0.87     1.51633    64.14
26        ∞        0.07     1.51500    64.00
27        ∞        0.65     1.50700    63.26
28        ∞
29(像面)
ズームデータ
通常観察状態     拡大観察状態
焦点距離       1.09            1.28
ＦＮＯ．       2.72            3.18
d12            0.26            2.36  
d16            2.40            0.30   
【０１２３】
数値実施例５
単位  ｍｍ
面データ
面番号         r          d         ne        νd
1        ∞        1.46     1.88300    40.78
2       2.288      1.45
3      -6.192      1.64     1.88300    40.76
4       2.088      2.38     1.51742    52.43
5      -3.436      0.22
6        ∞        0.89     1.49400    75.00
7        ∞        0.16
8     844.855      1.76     1.72916    54.68
9      -3.247      1.14     1.84666    23.78
10      -4.655      0.33
11(絞り)  ∞        0.07
12        ∞        可変
13    -147.787      0.67     1.49700    81.54
14       3.696      0.69     1.84666    23.78
15       4.226      0.96
16        ∞        可変
17       7.418      1.56     1.48749    70.23
18      -7.436      0.55
19       3.805      1.33     1.53775    74.70
20        ∞        0.00
21       4.584      1.11     1.51633    64.14
22      -7.766      0.67     1.95906    17.47
23       3.775      0.64
24       7.557      1.12     1.51633    64.14
25        ∞        0.14     1.51500    64.00
26        ∞        0.90     1.50700    63.26
27        ∞
28(像面)
ズームデータ
通常観察状態     拡大観察状態
焦点距離       1.07            1.27
ＦＮＯ．       3.03            3.60
d12            0.34            2.29  
d16            2.33            0.40    
【０１２４】
数値実施例６
単位  ｍｍ
面データ
面番号         r          d         ne        νd
1        ∞        0.43     1.88300    40.78
2       2.166      1.47
3      -9.759      1.70     1.88300    40.76
4       2.153      2.44     1.51742    52.43
5      -3.319      0.22
6        ∞        0.89     1.49400    75.00
7        ∞        0.24
8     -72.895      1.76     1.72916    54.68
9      -3.213      1.13     1.84666    23.78
10      -4.693      0.08
11(絞り)  ∞        0.07
12        ∞        可変
13     748.308      0.66     1.49700    81.54
14       3.715      0.66     1.84666    23.78
15       4.213      0.29
16        ∞        可変
17       7.392      1.56     1.48749    70.23
18      -7.393      0.17
19       4.102      1.34     1.53775    74.70
20        ∞        0.30
21       4.561      1.14     1.51633    64.14
22      -6.708      0.67     1.95906    17.47
23       3.780      0.68
24       4.040      0.97     1.51633    64.14
25        ∞        0.01     1.51500    64.00
26        ∞        0.74     1.50700    63.26
27        ∞
28(像面)
ズームデータ
通常観察状態     拡大観察状態
焦点距離       1.05            1.25
ＦＮＯ．       2.92            3.47
d12            0.28            2.34  
d16            2.38            0.33  
【０１２５】
数値実施例７
単位  ｍｍ
面データ
面番号         r          d         ne        νd
1        ∞        0.60     1.88300    40.78
2       2.163      1.30
3      -4.790      1.68     1.88300    40.76
4       2.108      2.40     1.51742    52.43
5      -3.343      0.21
6        ∞        0.89     1.49400    75.00
7        ∞        0.22
8     103.811      1.75     1.72916    54.68
9      -3.186      1.11     1.84666    23.78
10      -4.731      0.22
11(絞り)  ∞        0.07
12        ∞        可変
13     371.937      0.67     1.49700    81.54
14       3.728      0.67     1.84666    23.78
15       4.208      0.35
16        ∞        可変
17       7.396      1.56     1.48749    70.23
18      -7.401      0.31
19       4.763      1.34     1.53775    74.70
20        ∞        0.62
21       4.561      1.14     1.51633    64.14
22      -6.231      0.69     1.95906    17.47
23       3.786      0.76
24       3.536      0.89     1.51633    64.14
25        ∞        0.02     1.51500    64.00
26        ∞        0.78     1.50700    63.26
27        ∞
28(像面)
ズームデータ
通常観察状態     拡大観察状態
焦点距離       1.05            1.26
ＦＮＯ．       3.18            3.79
d12            0.30            2.33  
d16            2.38            0.34  
【０１２６】
数値実施例８
単位  ｍｍ
面データ
面番号         r          d         ne        νd
1        ∞        0.95     1.88300    40.78
2       2.252      1.25
3      -7.573      1.79     1.88300    40.76
4       2.142      2.44     1.51742    52.43
5      -3.233      0.23
6        ∞        0.89     1.49400    75.00
7        ∞        0.30
8     -54.770      1.77     1.72916    54.68
9      -3.212      1.17     1.84666    23.78
10      -4.710      0.22
11(絞り)  ∞        0.07
12        ∞        可変
13     160.517      0.66     1.49700    81.54
14       3.671      0.61     1.84666    23.78
15       4.277      1.91
16        ∞        可変
17       7.351      1.57     1.48749    70.23
18      -7.279      0.14
19       3.868      1.32     1.53775    74.70
20        ∞        0.05
21       4.350      1.22     1.51633    64.14
22      -6.167      0.67     1.95906    17.47
23       4.008      0.64
24        ∞        1.00     1.51633    64.14
25        ∞        0.02     1.51500    64.00
26        ∞        0.78     1.50700    63.26
27        ∞
28(像面)
ズームデータ
通常観察状態     拡大観察状態
焦点距離       1.06            1.26
ＦＮＯ．       2.91            3.47
d12            0.21            2.41  
d16            2.50            0.22  
【０１２７】
以下に各実施例の条件式対応値を示す。 
実施例１   実施例２   実施例３   実施例４
(1)    -2.33      -3.03      -2.36      -3.46
(2)    -1.42      -1.44      -1.07      -1.47
(3)    -1.41      -1.35      -1.18      -1.33
(4)     2.66       4.18       3.33       4.42
(5)     1.36       1.53       1.36       1.62
(6)    -0.82      -0.81      -1.34      -0.77
(7)   -12.39      -8.84      -8.30      -9.18
(8)    -1.93      -1.41      -1.54      -1.44
(9)    -3.15      -2.37      -3.10      -1.90
(10)    0.26       0.24       0.70       0.21
実施例５   実施例６   実施例７   実施例８
(1)    -2.41      -2.32      -2.31      -2.39
(2)    -1.35      -1.40      -1.44      -1.26
(3)    -1.21      -1.36      -1.62      -1.16
(4)     3.04       3.04       2.68       3.45
(5)     1.77       1.36       1.35       1.55
(6)    -0.88      -0.79      -0.83      -0.85
(7)   -10.30     -25.43      -8.45     -18.83
(8)    -1.66      -3.77      -1.35      -2.76
(9)    -5.66      -3.20      -2.80      -0.87
(10)    0.35       0.28       0.24       0.21
【産業上の利用可能性】
【０１２８】
以上のように、本発明は、小型かつ高精細であり、製造誤差による光学性能の劣化が低減された内視鏡対物光学系に適している。
【符号の説明】
【０１２９】
Ｇ１  第１群
Ｇ２  第２群
Ｇ３  第３群
Ｌ１〜Ｌ１２  レンズ
Ｓ  明るさ絞り
ＣＧ  カバーガラス
ＡＸ  光軸
Ｉ  撮像面（像面）
【図１】
2019198362.tif 000003
【図２】
2019198362.tif 000004
【図３】
2019198362.tif 000005
【図４】
2019198362.tif 000006
【図５】
2019198362.tif 000007
【図６】
2019198362.tif 000008
【図７】
2019198362.tif 000009
【図８】
2019198362.tif 000010
【図９】
2019198362.tif 000011
【図１０】
2019198362.tif 000012
【図１１】
2019198362.tif 000013
【図１２】
2019198362.tif 000014
【図１３】
2019198362.tif 000015
【図１４】
2019198362.tif 000016
【図１５】
2019198362.tif 000017
【図１６】
2019198362.tif 000018
【図１７】
2019198362.tif 000019
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
物体側より順に、正の第１群と、負の第２群と、正の第３群と、を有し、
通常観察状態から拡大観察状態において、少なくとも前記第２群を光軸に沿って動かすことにより変倍と合焦を行う内視鏡対物光学系であって、
前記第１群は、物体側から順に、物体側に平面を向けた平凹の負レンズと、２つの接合レンズとを有し、
以下の条件式（１）を満たすことを特徴とする内視鏡対物光学系。
−３.６＜ｆ１／ｆｚ１＜−２  （１）
ここで、
ｆ１は前記平凹の負レンズの焦点距離、
ｆｚ１は通常観察状態における前記内視鏡対物光学系全系の焦点距離、
である。
【請求項２】
前記第３群は、物体側から順に、正レンズと、正レンズと、正レンズと負レンズの接合レンズと、を有し、以下の条件式（２）、（３）を満たすことを特徴とする請求項１に記載の内視鏡対物光学系。
−５＜ｆ５／ｆ７＜−１      （２）
−５＜ｆ６／ｆ７＜−０.３      （３）
ｆ５は前記第３群の物体側の前記正レンズの焦点距離、
ｆ６は前記第３群の像側の前記正レンズの焦点距離、
ｆ７は前記第３群の前記接合レンズの焦点距離、
である。
【請求項３】
以下の条件式（４）を満たすことを特徴とする請求項１に記載の内視鏡対物光学系。
２.１＜Ｌｓ／Ｂｋ＜５      （４）
Ｌｓは前記第２群の通常観察状態から拡大観察状態における移動長、
Ｂｋは前記内視鏡対物光学系の最終面から像面までの光軸に沿った距離、
である。
【請求項４】
以下の条件式（５）を満たすことを特徴とする請求項１に記載の内視鏡対物光学系。
０.８＜ＦＦｚ３／ｆｚ３＜４  （５）
ＦＦｚ３は前記内視鏡対物光学系の拡大観察状態における前側焦点から前記内視鏡対物光学系の最も物体側の面までの距離、
ｆｚ３は拡大観察状態の前記内視鏡対物光学系全系の焦点距離、
である。
【請求項５】
以下の条件式（６）を満たすことを特徴とする請求項２に記載の内視鏡対物光学系。
−６＜ｆ７／ｆ３＜−０.５      （６）
ｆ７は前記第３群の前記接合レンズの焦点距離、
ｆ３は前記第１群の像側の前記接合レンズの焦点距離、
である。
【請求項６】
以下の条件式（７）を満たすことを特徴とする請求項１に記載の内視鏡対物光学系。
−３０＜ｆ２／ｆｚ１＜−１      （７）
ｆ２は前記第１群の物体側の前記接合レンズの焦点距離、
ｆｚ１は通常観察状態における前記内視鏡対物光学系全系の焦点距離、
である。
【請求項７】
以下の条件式（８）を満たすことを特徴とする請求項１に記載の内視鏡対物光学系。
−８＜ｆ２／ｆ３＜−１      （８）
ｆ２は前記第１群の物体側の前記接合レンズの焦点距離、
ｆ３は前記第１群の像側の前記接合レンズの焦点距離、
である。
【請求項８】
前記第３群は、カバーガラスに接合された像面側に平面を向けた凸平の正レンズを有し、以下の条件式（９）を満たすことを特徴とする請求項１に記載の内視鏡対物光学系。
−１０＜ｆ８／ｆ１＜−０.５    （９）
ｆ８は前記カバーガラスに接合された前記正レンズの焦点距離、
ｆ１は前記平凹の負レンズの焦点距離、
である。
【請求項９】
前記第３群の前記接合レンズは両凹の負レンズを有し、
以下の条件式（１０）を満たすことを特徴とする請求項１に記載の内視鏡対物光学系。
０.１＜ＳＦ７２＜０.９      （１０）
ＳＦ７２は前記両凹の負レンズのシェイピングファクターであり、前記両凹の負レンズの物体側の曲率半径をｒ７２、前記両凹の負レンズの像側の曲率半径をｒ７３とするとＳＦ７２＝（ｒ７２＋ｒ７３）／（ｒ７２−ｒ７３）である。
【請求項１０】
請求項１の内視鏡対物光学系を有する撮像装置。
【請求項１１】
請求項１の内視鏡対物光学系を有する内視鏡。
【手続補正２】
【補正対象書類名】明細書
【補正対象項目名】０００８
【補正方法】変更
【補正の内容】
【０００８】
上述した課題を解決し、目的を達成するために、本発明の少なくとも幾つかの実施形態に係る内視鏡対物光学系は、物体側より順に、正の第１群と、負の第２群と、正の第３群と、を有し、通常観察状態から拡大観察状態において、少なくとも第２群を光軸に沿って動かすことにより変倍と合焦を行う内視鏡対物光学系であって、第１群は、物体側から順に、物体側に平面を向けた平凹の負レンズと、２つの接合レンズと、を有し、以下の条件式（１）を満たすことを特徴とする。
−３.６＜ｆ１／ｆｚ１＜−２  （１）
ここで、
ｆ１は平凹の負レンズの焦点距離、
ｆｚ１は通常観察状態における内視鏡対物光学系全系の焦点距離、
である。
本発明の少なくとも幾つかの実施形態に係る撮像装置は、上述の内視鏡対物光学系を有する。
本発明の少なくとも幾つかの実施形態に係る内視鏡は、上述の内視鏡対物光学系を有する。
【手続補正４】
【補正対象書類名】明細書
【補正対象項目名】０００７
【補正方法】変更
【補正の内容】
【０００７】
本発明は、このような課題に鑑みてなされたものであって、小型かつ高精細であり、製造誤差による光学性能の劣化が低減された内視鏡対物光学系、撮像装置及び内視鏡を提供することを目的とする。
【手続補正５】
【補正対象書類名】明細書
【補正対象項目名】０００９
【補正方法】変更
【補正の内容】
【０００９】
本発明によれば、小型かつ高精細であり、製造誤差による光学性能の劣化が低減された内視鏡対物光学系、撮像装置及び内視鏡を提供できる。
【手続補正６】
【補正対象書類名】明細書
【補正対象項目名】００１１
【補正方法】変更
【補正の内容】
【００１１】
以下、本実施形態に係る内視鏡対物光学系、撮像装置及び内視鏡について、図面を用いて、このような構成をとった理由と作用を説明する。なお、以下の実施形態によりこの発明が限定されるものではない。
【手続補正７】
【補正対象書類名】明細書
【補正対象項目名】０１２８
【補正方法】変更
【補正の内容】
【０１２８】
以上のように、本発明は、小型かつ高精細であり、製造誤差による光学性能の劣化が低減された内視鏡対物光学系、撮像装置及び内視鏡に適している。
【国際調査報告】
2019198362.tif 000020
2019198362.tif 000021
2019198362.tif 000022
2019198362.tif 000023